(57)【特許請求の範囲】
【請求項１】
ダストキャップが口栓本体の周壁筒の上端開口部に嵌着し、プランジャーが口栓本体の封鎖板のプランジャー摺動孔に挿着し、下向きボール状のダイヤフラムバルムが口栓本体の封鎖板の下面のコンタクトリングに密接させて口栓本体の内筒の嵌合部に嵌合して取り付けられたアダプター口栓であって、前記ダイヤフラムバルブの外周縁部内側に、複数の楕円形状の流路孔を中心に対して放射状に等間隔で配置したことを特徴とするアダプター口栓。
【請求項２】
前記ダイヤフラムバルブの材質が、ポリエステル系エラストマーであることを特徴とする、請求項１記載のアダプター口栓。
【発明の詳細な説明】
【０００１】
【発明の属する技術分野】
本発明は、食品原料、調味料、酒などの液体内容物に使用される外箱に内袋が収容されているバッグインボックスなどの内袋のスパウトに嵌着して使用するアダプター口栓に関するものである。
【０００２】
【従来の技術】
従来、バッグインボックスなどの液体用容器に取り付けるアダプター口栓としては、キャップにディスペンサー機能を付与したものが知られており、例えば、内袋の開口部に熱融着して取り付けられたスパウトに、図２に示すアダプター口栓（１０）の口栓本体（１００）を嵌着し、この口栓本体の上端開口部にダストキャップ（２００）を嵌着した構造になっている。そして、口栓本体は、中央にプランジャー摺動孔（１３１）をもち、その外周に複数の流路孔（１３２）をもつ封鎖板（１３０）が周壁筒（１１０）の内側に設けられ、この封鎖板の中央のプランジャー摺動孔にプランジャー（１６０）が摺動可能に取り付けられ、このプランジャーの下部にはダイヤフラムバルム（１７０）が取り付けられて、閉鎖板の下面の流路孔より外側に設けられたコンタクトリング（１３４）と密接し、流路孔が封止されている。
【０００３】
この状態で液体用容器は輸送又は保管されるが、内袋に収容されている液体内容物を注出するときには、図４に示すように、アダプター口栓の口栓本体に嵌着するダストキャップを取り外して、口栓本体（１００）にコネクター（４００）を挿着し、このコネクターにチューブを接続して、ポンプで吸引することにより行われる。このとき、コネクターの中栓（４１０）が、プランジャー（１６０）を押してダイヤフラムバルム（１７０）の中央部を凹ませ、これにより口栓本体とダイヤフラムバルムとの間に隙間が生じて、内袋内の液体内容物が流路孔（１７１，１３２）を通ってコネクター内に流入し外部に注出される。なお、輸送又は保管時の液体用容器は、図２に示すように、プランジャー（１６０）が上昇した位置にあり、ダイヤフラムバルム（１７０）の上面に、口栓本体の閉鎖板（１３０）の下面に設けられたコンタクトリング（１３４）の先端が密接して、液漏れを防ぐ構造になっている。
【０００４】
【発明が解決しようとする課題】
しかしながら、上述の従来のダイヤフラムバルムは輸入品であり、密封性などの品質に不都合があったり、流量が不適当である場合があった。この上述のダイヤフラムバルム（１７０）は、図３に示すように、形状が下向きボール状で、外周縁部内側に、複数の円形状の流路孔（１７１）が中心に対して等間隔で放射状に配置されたものであった。国情に合わせるため、流量を増す場合に、単にこれら流路孔の径を大きくすると、ダイヤフラムバルムの弾性力が落ちて、密封性が損なわれた。
【０００５】
本発明は、上述の従来の問題を解決したものであり、弾性力を落とさずに流量を確保し、密封性が良好で食品衛生上に問題のないダイヤフラムバルムを取り付けたアダプター口栓を提供するものである。
【０００６】
【課題を解決するための手段】
すなわち、本発明の第１の発明は、ダストキャップが口栓本体の周壁筒の上端開口部に嵌着し、プランジャーが口栓本体の封鎖板のプランジャー摺動孔に挿着し、下向きボール状のダイヤフラムバルムが口栓本体の封鎖板の下面のコンタクトリングに密接させて口栓本体の内筒の嵌合部に嵌合して取り付けられたアダプター口栓であって、前記ダイヤフラムバルムの外周縁部内側に、複数の楕円形状の流路孔を中心に対して放射状に等間隔で配置したことを特徴とするアダプター口栓である。
【０００７】
そして、本発明の第２の発明は、前記ダイヤフラムバルブの材質が、ポリエステル系エラストマーであることを特徴とする第１の発明に記載のアダプター口栓である。
【０００８】
【作用】
本発明のアダプター口栓に取り付けられたダイヤフラムバルムは、外周縁部内側に、複数の楕円形状の流路孔を中心に対して放射状に等間隔で配置したものであり、この楕円形状の流路孔は、従来のダイヤフラムバルムの流路孔の径寸法より幅寸法を小さくしても孔面積を大きくとれるため、ダイヤフラムバルムの弾性力を落とさずに所定の流量を確保でき、密封性が良好である。
【０００９】
また、本発明のアダプター口栓に取り付けられるダイヤフラムバルムの材質が、ポリエステル系エラストマーであり、内容物に対するストレスクラッキング（外的環境によって応力下に起こる亀裂）を起こす危惧がなく、また、食品衛生上の問題がない。
【００１０】
【発明の実施の形態】
本発明のアダプター口栓（１０）は、図２に示すように、口栓本体（１００）の周壁筒（１１０）の上端開口部にダストキャップ（２００）を嵌着し、封鎖板（１３０）のプランジャー摺動孔（１３１）にプランジャー（１６０）を挿着し、封鎖板の下方にダイヤフラムバルム（１７０）をコンタクトリング（１３４）と密接させて内筒（１５０）のリング状の嵌合部（１５２）に嵌着するものである。
【００１１】
上述の口栓本体（１０）の構造は、例えば図２に示すように、周壁筒（１１０）の外周面にコネクター固定キャップとの通常雄ネジの螺合部（１１１）を有し、この周壁筒の下端に内面に内袋のスパウトとの通常リング状の嵌合部（１４１）をもつ嵌着筒（１４０）を下面に垂設し外周にローレット（１２１）を形成するフランジ（１２０）を周設し、周壁筒の内側下方に、中央にプランジャー摺動孔（１３１）をもち、このプランジャー摺動孔（１３１）の外周に通常６個の複数のフィン（１３３）を放射状に設けてフィン間に流路孔（１３２）を設け、フィンの外側位置の下面にダイヤフラムバルムとのコンタクトリング（１３４）を設けた封鎖板（１３０）を設け、周壁筒の下面に外周面に、内袋のスパウトとの密接面（１５１）をもち内周面にダイヤフラムバルムとのリング状の嵌合部（１５２）をもつ内筒（１５０）を垂設するものである。
【００１２】
そして、上述の口栓本体に取り付ける一実施形態のダイヤフラムバルム（１７０）は、図１に示すように、形状が下向きボール状で、その外周縁部内側に、通常１２個の複数の楕円形状の流路孔（１７１）を中心に対して放射状に等間隔で配置するものである。この流路孔は、例えば、両側が半円状で幅が２ｍｍで長さが３．５ｍｍの楕円形状であり、従来の製品の径が２．２ｍｍの円形の流路孔の孔面積のほぼ２倍強である。ダイヤフラムバルムは、食品衛生上に問題のないポリエステル系エラストマーを用いて射出成形するものである。
【００１３】
上述の一実施形態のダイヤフラムバルムを取り付けた本発明のアダプター口栓は、バッグインボックスの内容物を充填した内袋のスパウトに嵌着し、通常の流通過程を経てのち調べたが液漏れを発生したのはなく、ダストキャップを取り、口栓本体にコネクターを挿着して接続しポンプで吸引すると、内容物が良好に注出された。
【００１４】
【発明の効果】
本発明のアダプター口栓は、外周縁部内側に複数の楕円形状の流路孔を中心に対して放射状に等間隔で配置したダイヤフラムバルムを取り付けており、このため、所定の流量をダイヤフラムバルムの弾性力を落とさずに確保でき、密封性が良好である。
【００１５】
また、本発明のアダプター口栓に取り付けられるダイヤフラムバルムの材質が、ポリエステル系エラストマーであり、内容物に対するストレスクラッキングを起こす危惧がなく、食品衛生上の問題もない。
【図面の簡単な説明】
【図１】（ａ）は、本発明の一実施形態のアダプター口栓のダイヤフラムバルムの平面図であり、（ｂ）は、その一部を切り欠いた側面図であり、（ｃ）は、底面図である。
【図２】一例のアダプター口栓の一部を切り欠いた側面図である。
【図３】（ａ）は、従来のアダプター口栓の一例のダイヤフラムバルムの平面図であり、（ｂ）は、その一部を切り欠いた側面図であり、（ｃ）は、底面図である。
【図４】内袋のスパウトに嵌着する口栓本体に、アダプターコネクターを取り付けた状態を示す説明図である。
【符号の説明】
１０……アダプター口栓
２０……内袋
１００……口栓本体
１０１……ゲート
１１０……周壁筒
１１１……螺合部
１２０……フランジ
１２１……ローレット
１３０……閉鎖板
１３１……プランジャー摺動孔
１３２，１７１……流路孔
１３３……フィン
１３４……コンタクトリング
１３５……リブ
１４０……嵌着筒
１４１，１５２……嵌合部
１５０……内筒
１５１……密接面
１６０……プランジャー
１７０……ダイヤフラムバルム
２００……ダストキャップ
３００……スパウト
４００……コネクター
４１０……中栓
【図１】
0003829541.tif 000002
【図２】
0003829541.tif 000003
【図３】
0003829541.tif 000004
【図４】
0003829541.tif 000005